(57)【特許請求の範囲】
【請求項１】
略箱状の消毒槽の壁の一部を構成する壁部材に、被処理水が流入する流入開口部を備え、前記消毒槽の内部に、薬剤筒を設置する設置部と、被処理水を整流するバッフルプレートとを備える前記消毒槽において、
前記設置部が前記バッフルプレートの略中央部から前記壁部材の側に突設され、
前記バッフルプレートと前記設置部とが一体成形されており、
前記壁部材と前記バッフルプレートによって、前記薬剤筒を挟持する挟持部が構成されていることを特徴とする消毒槽。
【請求項２】
前記設置部が、被処理水の流れる流路を複数備えることを特徴とする請求項１に記載の消毒槽。
【請求項３】
前記流入開口部から前記薬剤筒までの間に、被処理水の流量に応じて流路が選択される流路選択部を設けてあることを特徴とする請求項１又は２に記載の消毒槽。
【請求項４】
前記流路選択部が、越流堰によって構成されており、該越流堰が前記設置部の幅方向全体に亘って形成されており、前記越流堰の幅方向の中央部分の高さが両端部分よりも低くなるように構成されていることを特徴とする請求項３に記載の消毒槽。
【請求項５】
前記薬剤筒を前記設置部に設置した際に、被処理水が流れる第１補助流路が前記薬剤筒と前記バッフルプレートとの間に形成されることを特徴とする請求項１〜４のいずれか１項に記載の消毒槽。
【請求項６】
前記第１補助流路が、前記薬剤筒の側に向かって下降傾斜することを特徴とする請求項５に記載の消毒槽。
【請求項７】
前記薬剤筒を前記設置部に設置した際に、被処理水が流れる第２補助流路が前記薬剤筒と前記流入開口部との間に形成されることを特徴とする請求項１〜６のいずれか１項に記載の消毒槽。
【請求項８】
前記薬剤筒を前記設置部に設置した際に、被処理水が流れる第２補助流路が前記薬剤筒と前記流入開口部との間に形成され、
前記流路選択部が前記第２補助流路によって構成されており、該第２補助流路が、前記設置部の幅方向全体に亘って形成され、幅方向の両端部分から中央部分に向かって下降傾斜していることを特徴とする請求項３に記載の消毒槽。
【請求項９】
複数の前記薬剤筒を前記設置部に設置可能に構成されていることを特徴とする請求項１〜８のいずれか１項に記載の消毒槽。
【請求項１０】
請求項１〜９のいずれか１項に記載の消毒槽を備える浄化槽。
【発明の詳細な説明】
【技術分野】
【０００１】
本発明は、浄化槽に設置される消毒槽に関する。
【背景技術】
【０００２】
浄化槽に設置される従来の消毒槽としては、例えば、特許文献１に示すものが挙げられる。この特許文献に示されているように、従来の消毒槽としては、薬剤筒を設置する設置部と、被処理水を整流するバッフルプレートとをそれぞれ別体として備えるものが一般的に知られている。
【先行技術文献】
【特許文献】
【０００３】
【特許文献１】特開平１１−４７７７８号公報
【発明の概要】
【発明が解決しようとする課題】
【０００４】
近年の浄化槽の普及に伴い、より一層の浄化槽のコンパクト化と製造コストの削減が望まれている。しかしながら、浄化槽のコンパクト化が進めば進むほど、消毒槽を上部に備える単位装置、例えば沈殿槽や処理水槽などの平面積が狭くなる一方で流入水量自体はかわらないため、一定の流量を確保するための消毒槽内の流路の確保が益々難しくなってきている。
【０００５】
本発明の目的は、平面積が狭い空間で一定の流路を確保できるとともに、製造コストの削減も図れる消毒槽を提供することにある。
【課題を解決するための手段】
【０００６】
本発明に係る消毒槽の第１特徴構成は、略箱状の消毒槽の壁の一部を構成する壁部材に、被処理水が流入する流入開口部を備え、前記消毒槽の内部に、薬剤筒を設置する設置部と、被処理水を整流するバッフルプレートとを備える前記消毒槽において、前記設置部が前記バッフルプレートの略中央部から前記壁部材の側に突設され、前記バッフルプレートと前記設置部とが一体成形されており、前記壁部材と前記バッフルプレートによって、前記薬剤筒を挟持する挟持部が構成されている点にある。
【０００７】
〔作用及び効果〕
本構成によれば、バッフルプレートと設置部とが一体成形されているため、消毒槽の構成が簡素化され、組立作業も容易となる。従って、消毒槽のコンパクト化と製造コストの削減を図ることができる。
また本構成によれば、薬剤筒を挟持する挟持部が、消毒槽の壁部材とバッフルプレートによって構成されるため、薬剤筒を支えるための手段を別途設ける必要がなく、消毒槽の構成がさらに簡素化される。
【００１０】
第２特徴構成は、前記設置部が、被処理水の流れる流路を複数備える点にある。
【００１１】
〔作用及び効果〕
消毒槽を配置する槽の狭さに応じて単純に消毒槽をコンパクト化すると、消毒槽内の薬剤筒を設置している流路の幅が狭められて被処理水が流れ難くなる場合ある。そのため、流量ピーク時等において浄化槽の水位が上昇し易くなり、被処理水が原水流入口に逆流したり、あるいは嫌気処理槽等のスカムが仕切壁を乗り越えて後段の槽に流出し後段処理の負荷上昇を招く虞がある。しかしながら本構成によれば、流路の幅が狭くとも、被処理水が複数の流路に分かれて流れるため全体として流れが滞ることはなく、平面積が狭い空間でも一定の流路を確保できるため、流量ピーク時においても浄化槽の水位上昇が生じ難い。
【００１２】
第３特徴構成は、前記流入開口部から前記薬剤筒までの間に、被処理水の流量に応じて流路が選択される流路選択部を設けてある点にある。
【００１３】
〔作用及び効果〕
本構成のごとく、流入開口部から薬剤筒までの間に流路選択部を設けることにより、例えば、被処理水の流量が少ないときには、被処理水が短絡することなく薬剤筒を通過する流路を選択して確実に被処理水を消毒することができる。一方、被処理水の流量が多いときには、浄化槽の水位上昇を抑える流路を選択して、被処理水の原水流入口への逆流や嫌気処理槽等におけるスカム流出を防ぐことができる。
【００１４】
第４特徴構成は、前記流路選択部が、越流堰によって構成されており、該越流堰が前記設置部の幅方向全体に亘って形成されており、前記越流堰の幅方向の中央部分の高さが両端部分よりも低くなるように構成されている点にある。
【００１５】
〔作用及び効果〕
本構成によれば、被処理水の流量が少ないときには、被処理水が越流堰の幅方向の中央部分から流れ込むことになり、薬剤筒に案内され易くなるため、より確実に被処理水を消毒することができる。一方、被処理水の流量が多いときには、越流堰の両端からも被処理水が流れ込むようになる。越流堰の両端から流れ込んだ被処理水は、薬剤筒や設置部をほとんど経由せずに消毒槽の貯留空間へ略直接に流下する。そのため流れが滞ることがなく、浄化槽の水位上昇を抑えることができる。
【００１６】
第５特徴構成は、前記薬剤筒を前記設置部に設置した際に、被処理水が流れる第１補助流路が前記薬剤筒と前記バッフルプレートとの間に形成される点にある。
【００１７】
〔作用及び効果〕
本構成のごとく、薬剤筒とバッフルプレートとの間に第１補助流路が形成されることによって、流入開口部より流入した被処理水が、薬剤筒を通過して第１補助流路に流れるという流路が形成され易くなる。そのため、被処理水がより確実に薬剤筒を通過して消毒される。
【００１８】
第６特徴構成は、前記第１補助流路が、前記薬剤筒の側に向かって下降傾斜する点にある。
【００１９】
〔作用及び効果〕
本構成によれば、被処理水が第１補助流路に流れると、その傾斜に従って薬剤筒に向かって流れるため、被処理水がより確実に薬剤筒を通過して消毒される。
【００２０】
第７特徴構成は、前記薬剤筒を前記設置部に設置した際に、被処理水が流れる第２補助流路が前記薬剤筒と前記流入開口部との間に形成される点にある。
【００２１】
〔作用及び効果〕
本構成のごとく、薬剤筒と流入開口部との間に第２補助流路が形成されることによって、流入開口部より流入した被処理水が、第２補助流路を通過して薬剤筒に流れるという流路が形成され易くなる。そのため、被処理水がより確実に薬剤筒を通過して消毒される。
【００２２】
第８特徴構成は、前記薬剤筒を前記設置部に設置した際に、被処理水が流れる第２補助流路が前記薬剤筒と前記流入開口部との間に形成され、前記流路選択部が前記第２補助流路によって構成されており、該第２補助流路が、前記設置部の幅方向全体に亘って形成され、幅方向の両端部分から中央部分に向かって下降傾斜している点にある。
【００２３】
〔作用及び効果〕
本構成によれば、被処理水の流量が少ないときには、被処理水が第２補助流路の幅方向の中央部分に集められ、薬剤筒に案内され易くなるため、より確実に被処理水を消毒することができる。一方、被処理水の流量が多いときには、第２補助流路の両端からも被処理水が流れ込むようになる。第２補助流路の両端から流れ込んだ被処理水は、薬剤筒や設置部をほとんど経由せずに消毒槽の貯留空間へ略直接に流下する。そのため流れが滞ることがなく、浄化槽の水位上昇を抑えることができる。
【００２４】
第９特徴構成は、複数の前記薬剤筒を前記設置部に設置可能に構成されている点にある。
【００２５】
〔作用及び効果〕
本構成によれば、複数の薬剤筒を設置することで消毒効果を簡単に高められるので、大人数用の浄化槽にも対応し易い。
【図面の簡単な説明】
【００２６】
【図１】本発明に係る浄化槽の内部構成の概略を示す模式図である。
【図２】本発明に係る消毒槽（第１実施形態）の表側の外観斜視図である。
【図３】本発明に係る消毒槽（第１実施形態）の裏側の外観斜視図である。
【図４】本発明に係る消毒槽（第１実施形態）の分解斜視図である。
【図５】本発明に係る消毒槽（第１実施形態）の縦断側面図である。
【図６】本発明に係る消毒槽（第１実施形態）の横断平面図である。
【図７】本発明に係る消毒槽（第１実施形態）の背面図である。
【図８】本発明に係る消毒槽（第２実施形態）の裏側の外観斜視図である。
【図９】本発明に係る消毒槽（第２実施形態）の縦断側面図である。
【図１０】本発明に係る消毒槽（第２実施形態）の横断平面図である。
【図１１】本発明に係る消毒槽（第２実施形態）の背面図である。
【発明を実施するための形態】
【００２７】
〔第１実施形態〕
以下、本発明の第１実施形態について、図面に基づいて説明する。
（浄化槽）
図１に示すように、本実施形態に係る浄化槽１は、上流側から嫌気ろ床槽Ａ１、第２嫌気ろ床槽Ａ２、好気処理槽Ｂ、沈殿槽Ｃ及び消毒槽Ｄを備えて構成されている。
【００２８】
被処理水の原水は、原水流入口２から嫌気ろ床槽Ａ１に流入し、第２嫌気ろ床槽Ａ２、好気処理槽Ｂの順に下流へ移送されつつ分解処理される。そして、沈殿槽Ｃに流入した被処理水は、消毒槽Ｄの背面に設けてある流入開口部６を介してオーバーフローにより消毒槽Ｄに流入し、薬剤筒４０内の消毒剤と接触して消毒された後、一時貯留されてから放流口３より槽外に放流される。
【００２９】
（消毒槽）
各図の２方向矢印に示すように、本明細書中便宜上、奥行き方向とはＸ-Ｘ方向、幅方向とはＹ−Ｙ方向、及び上下方向とはＺ−Ｚ方向を示すものとする。また奥行き方向（Ｘ−Ｘ方向）における図４紙面上各部材の右側を表側、左側を裏側と称する。
【００３０】
図２〜図４に示すように、本実施形態に係る消毒槽Ｄは、壁部材４、薬剤筒４０、バッフルプレート１５、及び本体カバー３０を備えて構成される。
【００３１】
（壁部材）
図３及び図４に示すように、壁部材４は、縦長略板状の部材であり、消毒槽Ｄの背面部分を構成する。壁部材４の裏側の下端及び左右両側端に亘って外縁壁部５が立設されている。
【００３２】
図４〜図６に示すように、壁部材４の上部の幅方向中央部には、被処理水が流入する流入開口部６が形成されている。流入開口部６の下端には、裏側に膨出する膨出部７と、その端部に立設する越流堰９が設けられている。
【００３３】
図４に示すように、膨出部７は、流入開口部６の幅方向全体に亘って設けられており、船底形状の横断平面（図６参照）を形成するように裏側に膨出する。また図７に示すように、開口部６は、開口幅を横方向に広げるように構成されており、越流堰９は、その幅方向の中央部分の高さが両端部分よりも低くなるように構成されている。
【００３４】
図３及び図４に示すように、膨出部７の下方には、裏側に凹んだ奥行き方向視にて長方形状の凹部１０が形成されている。消毒槽Ｄを組み立てる際、凹部１０には後述するバッフルプレート１５の凸部１８が嵌め込まれる。
【００３５】
流入開口部６の上方の幅方向中央部には、上下方向に延びる溝１１が設けられている。溝１１は裏側に凹んでおり、船底形状の横断平面を有する。
【００３６】
溝１１の上端部分（壁部材４の上端部分）には、表側に下降傾斜する傾斜面を有するガイド部１２が設けられている。
【００３７】
壁部材４の構成素材としては、例えば繊維強化プラスチック（ＦＲＰ）が挙げられる。また壁部材４は、例えば公知のハンドレイアップ成形法によって製造することができる。
【００３８】
（薬剤筒）
薬剤筒４０は、消毒剤を収容可能な円筒状の部材であって、被処理水が流入・流出可能な穴が下端周方向に複数設けられている。
【００３９】
（バッフルプレート）
図４に示すように、バッフルプレート１５は、縦長略板状の部材であって、消毒槽Ｄに流入してきた被処理水の整流を行う。バッフルプレート１５と壁部材４との間に薬剤筒４０を設置する設置部１６を設ける。設置部１６は別部材であってもよいが、本実施形態においては、設置部１６がバッフルプレート１５の裏面の略中央部に突設されており、バッフルプレート１５と設置部１６とが一体成形されている。
【００４０】
薬剤筒４０を設置する設置面Ｆが、設置部１６の上面の幅方向中央部に形成されている。設置面Ｆは、上面の他の部分よりもわずかに低くなるように形成されている。壁部材４に接する側の設置部１６の側面には、奥行き方向視にて長方形状の凸部１８が形成されている。
【００４１】
バッフルプレート１５の上部の幅方向中央部には、表側に膨出する膨出部１９が設けられている。膨出部１９の底面２０は、設置面Ｆと面一であり、船底形状の横断平面を有する。
【００４２】
バッフルプレート１５の上端部分には、裏側に下降傾斜する傾斜面を有するガイド部２５が設けられている。
【００４３】
バッフルプレート１５の構成素材としては、例えば繊維強化プラスチック（ＦＲＰ）が挙げられる。またバッフルプレート１５は、例えば公知のハンドレイアップ成形法によって製造することができる。
【００４４】
（本体カバー）
図４に示すように、本体カバー３０は、縦長略箱状の部材であり、消毒槽Ｄの正面及び両側面部分を構成する。本体カバー３０の裏側の下端及び左右両側端に亘って嵌合段部３１が形成されている。
【００４５】
本体カバー３０の上部の幅方向中央部には、放流口３を構成する放流管（図示せず）を取り付けるための円形開口部３２が形成されている。
【００４６】
本体カバー３０の裏側の左右両側端上部には、浄化槽の仕切壁Ｗに消毒槽Ｄを固定するための取付部３３が奥行き方向に張り出すように設けられている。また本体カバー３０の裏側の下端及び片方の側端下部のそれぞれには、消毒槽Ｄの姿勢保持のための姿勢保持部３４が奥行き方向に張り出すように設けられている。
【００４７】
本体カバー３０の構成素材としては、例えば繊維強化プラスチック（ＦＲＰ）が挙げられる。また本体カバー３０は、例えば公知のハンドレイアップ成形法によって製造することができる。
【００４８】
（消毒槽の組み立て方法）
上述の、壁部材４、薬剤筒４０、バッフルプレート１５、及び本体カバー３０を一体に組み立てる消毒槽Ｄの組立方法の一例を以下に説明する。
【００４９】
先ず、バッフルプレート１５と壁部材４とを組み付ける。壁部材４に対するバッフルプレート１５の接合部分である設置部１６の側面に接着剤を塗布する。そしてバッフルプレート１５の凸部１８を壁部材４の凹部１０に嵌め込むことにより壁部材４に対するバッフルプレート１５の位置決めがなされ、バッフルプレート１５が所定の位置に接着固定される。
【００５０】
壁部材４の膨出部７の幅方向の長さは、バッフルプレート１５の設置部１６の幅方向の長さと略等しく、壁部材４の膨出部７がバッフルプレート１５の設置部１６の幅方向全体に亘るように組み付けられる。このとき、壁部材４の膨出部７とバッフルプレート１５の設置面Ｆとが面一となる。また壁部材４のガイド部１２とバッフルプレート１５のガイド部２５とが奥行き方向に対面配置される。
【００５１】
次いで、壁部材４の外縁壁部５を本体カバー３０の嵌合段部３１に嵌め込んで固定する。これにより、バッフルプレート１５が内側に配設されると共に被処理水の貯留空間Ｓが形成される。
【００５２】
最後に、図５に示すように、壁部材４のガイド部１２とバッフルプレート１５のガイド部２５との間に薬剤筒４０を挿入するようにしてバッフルプレート１５の設置面Ｆに設置する。このとき、壁部材４の溝１１とバッフルプレート１５の上部裏面部分１７によって薬剤筒４０が挟持される。つまり壁部材４の溝１１とバッフルプレート１５の上部裏面部分１７によって薬剤筒４０の挟持部が構成される。
【００５３】
また図６に示すように、薬剤筒４０を設置面Ｆに設置したとき、設置部１６の上面における薬剤筒４０の幅方向左右両側のそれぞれが第１流路Ｌ１及び第２流路Ｌ２となり、被処理水が薬剤筒４０から左右に分かれて流れる。また薬剤筒４０とバッフルプレート１５との間、即ちバッフルプレート１５の膨出部１９の底面２０が被処理水の流れる第１補助流路となる。また流入開口部６と薬剤筒４０との間、即ち壁部材４の膨出部７の底面８が被処理水の流れる第２補助流路となる。
【００５４】
以上のように組立てられた消毒槽Ｄは、図２に示すように取付部３３を介して仕切壁Ｗの所定位置に接着剤等で固定される。このとき、姿勢保持部３４が仕切壁Ｗに当接することによって消毒槽Ｄの壁部材４が鉛直方向に沿うものとなり、さらに消毒槽Ｄの設置面Ｆが水平となる。
【００５５】
（被処理水の流れ）
図７に示すように、本実施形態における越流堰９は、幅方向の中央部分の高さが両端部分よりも低く設定されていることによって、被処理水の流量に応じて流路を選択する流路選択部としての機能を備える。
【００５６】
図６に示すように、沈殿槽Ｃからの被処理水の流量が通常の量か又はそれよりも少ない量である場合は、被処理水は越流堰９の中央部分から流れ込み、壁部材４の膨出部７の底面８（第２補助流路）を通って薬剤筒４０内に流れて消毒剤と接触する。
【００５７】
薬剤筒４０を通過した被処理液は、バッフルプレート１５の膨出部１９の底面２０（第１補助流路）に流れ出た後、第１流路Ｌ１及び第２流路Ｌ２の左右に分かれて流れ、設置部１６の上面から消毒槽Ｄの貯留空間Ｓに流下する。勿論バッフルプレート１５の膨出部１９の底面２０を通過せずに第１流路Ｌ１及び第２流路Ｌ２に直接流れ出る場合もある。
【００５８】
一方、流量ピーク時のように沈殿槽Ｃからの被処理水の流量が大量となる場合は、越流堰９の中央部分だけでなく、越流堰９の幅方向両端部分からも被処理水が流れ込む。越流堰９の幅方向両端部分から流れ込んだ被処理水は、薬剤筒４０を通過せず、また第１流路Ｌ１及び第２流路Ｌ２もほとんど通過することなく、貯留空間Ｓに略直接に流下する。
【００５９】
上述の越流堰９を設けることにより、被処理水の流量が少ないときには、薬剤筒４０内の消毒剤と確実に接触させて消毒することができる。一方、被処理水の流量が多いときには、浄化槽１の水位上昇を抑えて、原水流入口２への被処理水の逆流や、嫌気ろ床槽Ａ１及び第２嫌気ろ床槽Ａ２におけるスカム流出を防ぐことができる。
【００６０】
貯留空間Ｓに流下した被処理水は一時貯留された後、オーバーフローにより放流口から槽外に放流される。
【００６１】
〔第２実施形態〕
以下、本発明の第２実施形態について、図面に基づいて説明する。尚、先の第１実施形態と同様の作用・効果を有する構成部材については同じ符号を付して説明を省略し、異なる構成を主として説明する。
【００６２】
図８に示すように本実施形態に係る消毒槽Ｄは、複数の薬剤筒４０を設置部１６（図９参照）に設置することができるように複数の挟持部を備える。
【００６３】
挟持部は、壁部材４の流入開口部６の上方で幅方向に並設されている複数の溝１１と、バッフルプレート１５の上部で幅方向に並設されている複数の溝２２によって構成されている。これらの溝１１及び溝２２はいずれも上下方向に延び且つ船底形状の横断平面を有する。またバッフルプレート１５の複数の溝２２は、裏側に膨出する膨出部分２３（図９参照）に設けられている。
【００６４】
壁部材４の溝１１とバッフルプレート１５の溝２２とが奥行き方向にて互いに対向するように配置され、対峙する溝１１と溝２２との間に薬剤筒４０を嵌め込むことによって設置部１６の上面に薬剤筒４０を設置・固定することができる。
【００６５】
尚、本実施形態では、３本の薬剤筒４０を幅方向に並べて設置部１６に設置することができるように構成されているが、被処理水が流れ易くなるように、図８のように設置部１６の幅方向の中央部分に薬剤筒４０を設置せずに、その両端側にのみ設置して使用することが望ましい。
【００６６】
図９に示すように、本実施形態では、バッフルプレート１５が第１実施形態のような表側に膨出する膨出部１９を備えておらず、設置部１６の上面におけるバッフルプレート１５側の端部分２４が、設置した薬剤筒４０の側に向かって下降傾斜する。尚、薬剤筒４０は端部分２４に設置されないように構成されており、端部分２４が被処理水の流れる第１補助流路となる。
【００６７】
本実施形態では、図９に示すように越流堰９の高さが幅方向全体に亘り一定に設定されている。また壁部材４の膨出部の底面８（第２補助流路）が、図１０に示すように設置部１６の幅方向全体に亘って形成されており、また図１１に示すように幅方向の両端部分から中央部分に向かってＶ字状に下降傾斜するように構成されている。
【００６８】
本実施形態における壁部材４の膨出部の底面８（第２補助流路）は、被処理水の流量に応じて流路を選択する流路選択部としての機能を備える。
【００６９】
図１０に示すように、沈殿槽Ｃからの被処理水の流量が通常の量か又はそれよりも少ない量である場合、被処理水が越流堰９を越えて流れ込むと、壁部材４の膨出部の底面８（第２補助流路）の幅方向中央部分に集まりそのまま設置部１６の上面の幅方向中央部に流れ出す。
【００７０】
次いで被処理液は、設置部１６の端部分２４に流れ出た後、その傾斜に従って戻るようにして左右に分かれ、設置部１６の幅方向両端に設置してある薬剤筒４０のそれぞれに流れて消毒剤と接触し、設置部１６の上面から消毒槽Ｄの貯留空間Ｓに流下する。勿論設置部１６の端部分２４を通過せずに薬剤筒４０に直接流れ込む場合もある。
【００７１】
一方、流量ピーク時のように沈殿槽Ｃからの被処理水の流量が大量となる場合は、越流堰９の幅方向両端部分から流れ込んだ被処理水は、壁部材４の膨出部の底面８（第２補助流路）の幅方向中央部分に集まることなく、また薬剤筒４０をほとんど通過することなく、貯留空間Ｓに略直接に流下する。
【００７２】
壁部材４の膨出部の底面８を上述のように構成することにより、被処理水の流量が少ないときには、薬剤筒４０内の消毒剤と確実に接触させて消毒することができる。一方、被処理水の流量が多いときには、浄化槽の水位上昇を抑えて、原水流入口２への被処理水の逆流や、嫌気ろ床槽Ａ１及び第２嫌気ろ床槽Ａ２におけるスカム流出を防ぐことができる。
【００７３】
〔その他の実施形態〕
１．本発明に係る消毒槽Ｄを適用可能な浄化槽については、上述の構成を備えるものに限定されるものではない。
２．上述の第１実施形態では、第１流路Ｌ１及び第２流路Ｌ２の２つの流路を設置部１６に設ける構成を示したが、この構成に限定されるものではなく、必要に応じてこれよりも多くの流路を設けるようにして良い。
３．上述の第１実施形態における溝１１は、壁部材４ではなくバッフルプレート１５に設けるように構成しても良く、また壁部材４とバッフルプレート１５の両方に設けても良い。
４．上述の第１実施形態では、薬剤筒４０を設置し易くするために壁部材４及びバッフルプレート１５のそれぞれにガイド部１２及びガイド部２５を設ける構成を示しているが、この構成に限定されるものではなく、他にも例えば、ガイド部を設ける代わりに、壁部材４及びバッフルプレート１５のそれぞれの上端の高さに差を設けて薬剤筒４０を挿入し易いように構成しても良い。
５．上述の第１実施形態では、越流堰９は幅方向の中央部分の高さが両端部分より低く設定されているが、必ずしもこの構成に限らない。例えば、越流堰９の幅方向の一方端部分の高さがもう一方端部分より低く構成されていても良い。
６．上述の第１及び第２実施形態における第１補助流路及び第２補助流路は必ずしも形成されていなくとも良い。即ち、第１補助流路及び第２補助流路のうちのいずれか一方のみを形成しても良いし、あるいはいずれも形成していなくとも良い。
７．上述の第２実施形態における端部分２４は、必ずしも薬剤筒４０の側に向かって降下傾斜していなくても良い。また、上述の第２実施形態における壁部材４の膨出部の底面８は、必ずしも幅方向の両端部分から中央部分に向かって降下傾斜していなくて良い。
【産業上の利用可能性】
【００７４】
本発明に係る消毒槽は、少人数用の浄化槽だけでなく、大人数用の浄化槽にも適用することができる。
【符号の説明】
【００７５】
１  浄化槽
２  原水流入口
３  放流口
４  壁部材
５  外縁壁部
６  流入開口部
７  壁部材の膨出部
８  壁部材の膨出部の底面（第２補助流路、流路選択部）
９  越流堰（流路選択部）
１０  凹部
１１  壁部材の溝（挟持部）
１２  壁部材のガイド部
１５  バッフルプレート
１６  設置部
１７  上部裏面部分（挟持部）
１８  凸部
１９  バッフルプレートの膨出部
２０  バッフルプレートの膨出部の底面（第１補助流路）
２２  バッフルプレートの複数の溝（挟持部）
２３  バッフルプレートの膨出部分
２４  端部分（第１補助流路）
２５  バッフルプレートのガイド部
３０  本体カバー
３１  嵌合段部
３２  円形開口部
３３  取付部
３４  姿勢保持部
４０  薬剤筒
Ａ１  嫌気ろ床槽
Ａ２  第２嫌気ろ床槽
Ｂ  好気処理槽
Ｃ  沈殿槽
Ｄ  消毒槽
Ｆ  設置面
Ｓ  貯留空間
Ｌ１  第１流路
Ｌ２  第２流路
Ｗ  仕切壁
【図１】
0006509012.tif 000002
【図２】
0006509012.tif 000003
【図３】
0006509012.tif 000004
【図４】
0006509012.tif 000005
【図５】
0006509012.tif 000006
【図６】
0006509012.tif 000007
【図７】
0006509012.tif 000008
【図８】
0006509012.tif 000009
【図９】
0006509012.tif 000010
【図１０】
0006509012.tif 000011
【図１１】
0006509012.tif 000012